(57)【特許請求の範囲】
【請求項１】
金属製の窓枠に嵌め込まれたガラス板の室内面に、Ａｇ、Ｃｕなどの金属またはその合金や導電物質のＩＴＯやＳｎＯ２を成膜した、断熱性能の高い電磁遮蔽フィルムを張り合わされてなる電磁遮蔽窓において、電磁遮蔽フィルムの下端部と金属製の下側窓枠の上端部とを導電性テープで導通させ、該導電性テープの、金属製の下側窓枠の上端部に接着剤で接着された、水平となる端部を硬化性シーリング材で被覆したことを特徴とする電磁遮蔽窓。
【発明の詳細な説明】
【０００１】
【発明の属する技術分野】
本発明は、建物開口部の電磁遮蔽に係わり、特に既存の開口部に電磁遮蔽の機能を付与する技術に関する。
【０００２】
【従来の技術】
近年、オフィスビル内において、ＯＡ機器・通信機器などの電子機器が必要不可欠であり、それら電子機器が発生する電磁波によって他の電子機器や電子制御機器が誤動作を起こしたり、ノイズを発生するというケースが多くなっている。従って、このようなトラブルを防止するため、オフィスビルのガラス窓には、電磁遮蔽ガラスを使用し、建物の外部より開口部を通して侵入する電磁波を遮蔽している。
【０００３】
このような電磁遮蔽ガラスの従来例として、ガラスの片面に透明な金属膜や導電性の金属酸化膜をコーティングしたものや、合わせガラスに導電性の網やフィルムを挟み込んだもの、さらには複層ガラスの内面に導電性特殊金属膜をコーティングしたものなどが電磁遮蔽ガラスとして提案され、実用に共されている。
【０００４】
しかし、既存の建物や建物のリニューアル等において、窓に電磁遮蔽の機能を付与しようとする場合、既に取り付けられているガラスを取り外して電磁遮蔽ガラスを嵌め込むという交換作業が必要となる。また、大抵の場合、取り外した板ガラスは廃棄しなければならず、既存の建物の開口部に電磁遮蔽の機能を付与することは、かなり高価なものとなる。
【０００５】
高価になることを避けるため、前述の、開口部における既存の板ガラスと電磁遮蔽ガラスの交換を行わず、既存の板ガラスに電磁シールドフィルムを貼り付けて、安価に電磁シールドの機能を窓ガラスに付与することが提案されている。
【０００６】
例えば特開平９−１２５５６１号公報において、室内側のシーリング材とバックアップ材を除いて、窓ガラスの室内面側に電磁遮蔽性能を有するフィルムを貼り、さらに、サッシの溝と該フィルムとの間に導電性の押縁やガスケットを用いて導通をする、図５に示すものが開示されている。しかし、図５に示すような構造では、特開平１１−２００７２１号公報において指摘されているように、耐風圧強度や水密性などに問題が生じるものである。
【０００７】
また、例えば特開平１１−２００７２１号公報において、窓ガラスの室内面に電磁遮蔽フィルムを貼り、導電性テープを用いてサッシと導通させる、図４に示すものが開示されている。導電性テープとして、アルミニウムや銅等の金属箔に粘着材を添着したものや、ポリエステル等の繊維の織布、不織布に銅やニッケル、カーボン等の導電性材料をメッキしたものに、粘着材を添着したものが提案されている。
【０００８】
一般に、電磁シールドフィルムは導電物質がコーティングされているため、電磁シールドフィルムを窓ガラスに貼ると、電磁遮蔽機能の他に、放射率の低下に伴い断熱性能の高くなることが知られている。単板ガラスでは、断熱性能が高くなると電磁シールドフィルムの貼られた室内側の表面温度と室温との差が大きくなり、結露を生じやすいという問題が生じる。
【０００９】
したがって、特開平１１−２００７２１号公報に開示されている、図４に示す構成においては、導電性テープの端部あるいは全部が、結露などの水分によって剥離する恐れがあり、長期に渡って使用できない。また導電性テープが剥離した場合は、導電性テープを新たに張り替える必要性が生じる。さらに、アルミニウムや銅などを用いた導電性テープには耐酸性がないので、酸化されて導通性が悪化することが避けられなかった。
【００１０】
【発明が解決しようとする課題】
既存の窓に電磁遮蔽性能を付与する方法として、特開平９−１２５５６１号公報や特開平１１−２００７２１号公報に開示されているように、板ガラス室内面に電磁遮蔽性能を有するフィルムを貼ることが開示されているものの、サッシとの導通を図る構造に問題があるもので、特に耐水性に欠点のあるものであった。
【００１１】
本発明は、上述の問題に鑑みてなされ、既存の窓を長期間に渡って使用が可能な電磁遮蔽窓を提供するものである。
【００１２】
【課題を解決するための手段】
本発明の電磁遮蔽窓は、金属製の窓枠に嵌め込まれたガラス板の室内面に、Ａｇ、Ｃｕなどの金属またはその合金や導電物質のＩＴＯやＳｎＯ２を成膜した、断熱性能の高い電磁遮蔽フィルムを張り合わされてなる電磁遮蔽窓において、電磁遮蔽フィルムの下端部と金属製の下側窓枠の上端部とを導電性テープで導通させ、該導電性テープの、金属製の下側窓枠の上端部に接着剤で接着された、水平となる端部を硬化性シーリング材で被覆したことを特徴とする電磁遮蔽窓である。
【００１３】
硬化型シーリング材により、導電性テープの端部が窓に結露した水滴などによって剥離することが防止され、さらに導電性テープの全部を被覆させることにより、導電性テープが錆びることをも防げ、長期間に渡り、安定した電磁遮蔽性能を維持できる。
【００１４】
【発明の実施の形態】
電磁シールドフィルムには、ポリエステル、ポリエチレンテレフタレート、ポリアリレート、ポリプロピレン、トリアセチルセルロース、ポリエーテルサルフォン、ポリカーボネートなどの透明な高分子フィルムに、Ａｇ、Ｃｕなどの金属またはその合金や導電物質のＩＴＯ（酸化インジウム錫）やＳｎＯ２（酸化スズ）などをスパッタリング法やＣＶＤ法、真空蒸着法などで成膜したものが使用できる。
【００１５】
導電性テープには、アルミニウム、銅、ステンレス鋼などの金属箔、高分子フィルムに銅などの導電性材料をメッキしたもの等に、接着剤を塗布したものが使用できる。
【００１６】
一般に硬化型シール材は、反応硬化型シール材あるいは熱硬化型シール材などを用いる。
【００１７】
このようなシール材は、ポリサルファイド系、変性ポリサルファイド系、反応性ポリイソブチ  レン系、ポリウレタン系、シリコーン系、変性シリコーン系、アクリルウレタン系、アクリル系、  不飽和ポリエステル系、エポキシウレタン系、エポキシシリコーン系、エポキシポリサルファイド系あるいはそれらを混合したもの、さらには導電性材料を混ぜて導電性を付与したものがある。
【００１８】
また電磁シールドフィルムを板ガラスに貼着して電磁遮蔽性能を付与する方法は、簡便で安価のため、既存の窓に電磁遮蔽性能を付与するために限定されるものではなく、新たに建てられる建物の窓や、通常の窓枠を用いない、特殊なガラス施工法、例えばＳＳＧ構法、ＤＰＧ構法のガラス板においても応用が可能である。なおＤＰＧ構法においては、板ガラスを支持している金具に導電性テープを用いて導通を図るようにすることが望ましい。
【００１９】
【実施例】
以下、図面を参照しながら本発明を詳細に説明する。
【００２０】
実施例１
図１は、実施例１で作製した電磁遮蔽窓の要部断面図を示すものである。横３００ｍｍ×縦２００ｍｍの金属製枠５に、厚み３ｍｍの透明な板ガラス１を嵌め込み、枠内のガラス面に電磁シールドフィルム２を接着した。
【００２１】
金属製枠５は、アルミニウム製、ステンレス鋼製または鉄製の枠を用い、電磁シールドフィルム２として、ポリエステルフィルムあるいはポリカーボネートフィルムにＩＴＯ膜を被膜した透明導電性フィルムを用いた。
【００２２】
電磁シールドフィルム２と金属製枠５とを、導電性テープ３により導通させ、さらに、導電性テープ３の金属製枠５に接着された端部付近のみを硬化型シーリング材４で被覆し、電磁遮蔽窓とした。
【００２３】
実施例２
図２は、実施例２で作製した電磁遮蔽窓の要部断面図を示すものである。導電性テープ３の、電磁シールドフィルム２に接着した端部付近から金属製枠５に接着した端部付近までを、硬化型シーリング材４で被覆した他は、実施例１と同様にして電磁遮蔽窓とした。
【００２４】
比較例１
図３は、比較例１で作製した電磁遮蔽窓の要部断面図を示すものである。導電性テープ３を硬化型シーリング材で被覆しない他は、実施例１と同じにして電磁遮蔽窓とした。
【００２５】
比較例２
図４は、比較例２で作製した電磁遮蔽窓の要部断面図を示すものである。導電性テープ３の、電磁シールドフィルム２に接着した端部付近のみを、硬化型シーリング材４で被覆した他は、実施例１と同様にして電磁遮蔽窓とした。
【００２６】
（効果）
実施例１から実施例３で得られた電磁遮蔽窓と、比較例１で得られた電磁遮蔽窓を、ＪＩＳ  Ａ５７５８の耐温水試験（５５℃ー５００ｈ浸漬）によって評価し、表１に示す結果を得た。
【００２７】
【表１】
0003565759.tif 000002
【００２８】
表１の結果から、比較例１では導電性テープの接着性が非常に問題となり、実施例１では、硬化型シーリング材の効果が十分ではないが比較例１よりは良い結果が認められた。また、実施例２および実施例３で得た電磁遮蔽窓では、耐水性が十分であることを認めた。
【００２９】
【発明の効果】
本発明の電磁遮蔽窓は、既存の開口部において、電磁シールドフィルムなどを用いて電磁遮蔽機能を付与した電磁遮蔽窓の耐久性を向上させ、長期間に渡って、電磁遮蔽の機能を維持することを可能にした。
【図面の簡単な説明】
【図１】実施例１の要部断面図。
【図２】実施例２の要部断面図。
【図３】比較例１の要部断面図。
【図４】比較例２の要部断面図。
【図５】従来技術における電磁遮蔽窓の構成を示す図。
【符号の説明】
１  板ガラス
２  電磁シールドフィルム
３  導電性テープ
４  硬化型シーリング材
５  金属製枠材
９  押縁
【図１】
0003565759.tif 000003
【図２】
0003565759.tif 000004
【図３】
0003565759.tif 000005
【図４】
0003565759.tif 000006
【図５】
0003565759.tif 000007